(57)【要約】【課題】脱臭性能を長期間安定して維持することができ、且つ、装置の小型化及び簡易化を実現でき、さらには、装置の初期投資費用及び維持管理費を低減できる脱臭装置を提供する。【解決手段】脱臭材２が充填された脱臭槽１に、臭気成分を含む気体を吸引する吸引口３と、当該吸引口３から吸引された臭気成分を含む気体を脱臭材２に通過させることにより、臭気成分を除去した気体を放出する放出口４と、を備えた脱臭装置１０において、脱臭材２として、微生物の寄生により腐朽状態となった木材粉砕片２１と、木炭片２２と、木炭粉２３と、を脱臭槽１の下面側からこの順で積層したものを用いる。【選択図】図１
0003127056.tif 000002
【実用新案登録請求の範囲】
【請求項１】
脱臭材が充填された脱臭槽に、臭気成分を含む気体を吸引する吸引口と、当該吸引口から吸引された臭気成分を含む気体を前記脱臭材に通過させることにより、前記臭気成分を除去した気体を放出する放出口と、を備えた脱臭装置において、
前記脱臭材として、微生物の寄生により腐朽状態となった木材粉砕片を用いることを特徴とする脱臭装置。
【請求項２】
前記脱臭材として、前記木材粉砕片と、木炭粉及び木炭片の少なくとも一つとを用いることを特徴とする請求項１に記載の脱臭装置。
【請求項３】
前記吸引口は前記脱臭槽の下部に設けられ、前記放出口は前記脱臭槽の上部に設けられているとともに、前記脱臭材は、前記吸引口よりも上方に設けられた網状部材又は多孔性板材の上面に充填されていることを特徴とする請求項１又は２に記載の脱臭装置。
【請求項４】
前記微生物は、糸状菌であることを特徴とする請求項１から３のいずれかに記載の脱臭装置。
【考案の詳細な説明】
【技術分野】
【０００１】
本考案は、脱臭装置に関し、特に、室内において、アンモニア、メチルメルカプタン、硫化メチル、二硫化メチル等の臭気成分を含むペット臭や、アセトアルデヒド等の臭気成分を含むタバコ臭を除去するために好適に用いることができる脱臭装置に関するものである。
【背景技術】
【０００２】
従来、ペット臭やタバコ臭等を除去するための脱臭装置としては、これらの臭気成分を含む気体を脱臭槽内に充填された脱臭材に通過させることで、気体に含まれる臭気成分を除去するように構成された装置が公知となっている。
【０００３】
特許文献１には、脱臭材として、ゼオライト、シリカ、アルミナから選択される少なくとも一つと、マンガン、銅、コバルト、亜鉛から選択される少なくとも一つを含む金属酸化物又は複合酸化物と、を有する吸着体を用いることが提案されている。また、この特許文献１では、吸着体で吸着した臭気成分を吸着体から脱離させて、白金又はパラジウムからなる触媒で分解する分解装置を備えることで、臭気成分の無臭化及び吸着体の再利用化を図ることも提案されている。
【０００４】
また、特許文献２には、脱臭材として、多孔性の軽量気泡コンクリート粒状体に、臭気成分を溶解させる水分を保持するとともに、臭気成分を酸化する好気性菌を付着固定化したものを用いて、脱臭材に散水して臭気成分を水に溶解させた後、好気性菌で酸化分解することで、臭気成分を除去することが提案されている。また、この特許文献２では、脱臭材に散水して、臭気成分を水に溶解させるとともに、好気性菌による臭気成分の酸化によって生じた反応生成物を水と一緒に脱臭材の外部へ流すための散水装置を備えることが提案されている。
【特許文献１】特開２００２−１２６０５４号公報
【特許文献２】特開２００６−０８１９５３号公報
【考案の開示】
【考案が解決しようとする課題】
【０００５】
しかしながら、上述した特許文献１に記載の脱臭装置においては、脱臭材として用いる吸着体が臭気成分の吸着により飽和したり、吸着体が湿ったりすると、直ちに性能が劣化し、長期間安定した脱臭性能を維持できないという不具合があった。
また、上述した特許文献１に記載の脱臭装置においては、吸着体で吸着した臭気成分を無臭化するために分解装置を備えていることから、脱臭装置の小型化及び簡易化を実現することが難しく、また、脱臭装置の初期投資費用及び維持管理費が嵩むという不具合もあった。
【０００６】
一方、上述した特許文献２に記載の脱臭装置においては、微生物固定化用担体として用いるコンクリート粒状体に好気性菌を付着固定するための前処理が必要であるとともに、臭気成分を除去するために散水装置が必要であることから、脱臭装置の小型化及び簡易化を実現することが難しく、また、脱臭装置の初期投資費用及び維持管理費が嵩むという不具合があった。
【０００７】
そこで、本考案は、上記不具合を解消するためになされたものであり、脱臭性能を長期間安定して維持することができ、且つ、装置の小型化及び簡易化を実現でき、さらには、装置の初期投資費用及び維持管理費を低減できる脱臭装置を提供することを課題としている。
【課題を解決するための手段】
【０００８】
このような課題を解決するために、本考案に係る脱臭装置は、脱臭材が充填された脱臭槽に、臭気成分を含む気体を吸引する吸引口と、当該吸引口から吸引された臭気成分を含む気体を前記脱臭材に通過させることで、前記臭気成分を除去した気体を放出する放出口と、を備えた脱臭装置において、前記脱臭材として、微生物の寄生により腐朽状態となった木材粉砕片を用いた構成としている。
【０００９】
本構成によれば、気体に含まれる臭気成分を除去する脱臭材として、微生物の寄生により腐朽状態となった木材粉砕片を用いた構成としたため、木材粉砕片に存在し、臭気成分を栄養分として増殖する微生物の酸化分解作用により、臭気成分を除去することができる。
すなわち、本考案に係る脱臭装置によれば、脱臭材が臭気成分により飽和することなく、長期間安定して脱臭性能を維持することができる。
【００１０】
また、本考案に係る脱臭装置によれば、脱臭材として、微生物の寄生により腐朽状態となった木材粉砕片を用いているため、微生物固定化用担体である木材粉砕片に微生物を付着固定させる前処理が省略できるとともに、木材粉砕片には、スギ、ヒノキ、雑木類等の間伐材や、剪定枝のように産業廃棄物を用いることができるため、装置の初期投資費用及び維持管理費を低減できる。
さらに、本考案に係る脱臭装置によれば、上述した特許文献１及び特許文献２に記載のように、分解装置や散水装置等の付属装置を備えることなく、微生物の酸化分解作用のみで脱臭処理が行えるため、脱臭装置の小型化及び簡易化を実現できるとともに、装置の初期投資費用及び維持管理費を低減できる。
【００１１】
ここで、本考案に係る脱臭装置においては、前記脱臭材として、前記木材粉砕片と、木炭粉及び木炭片の少なくとも一つとを用いた構成としてもよい。
この構成によれば、脱臭材として、上述した木材粉砕片のみを用いた場合と比べて、脱臭材自体が固まり難くなり、長期間良好な通気性を維持できるようになるため、微生物をより効率よく増殖させることができ、より長期間安定した脱臭性能を維持できる。また、この構成にした場合であっても、上述した木材粉砕片に加えて、木炭粉及び木炭片には、産業廃棄物を用いることができるため、装置の初期投資費用及び維持管理費を低減させることができる。
【００１２】
さらに、本考案に係る脱臭装置において、前記吸引口は前記脱臭槽の下部に設けられ、前記放出口は前記脱臭槽の上部に設けられているとともに、前記脱臭材は、前記吸引口よりも上方に設けられた網状部材又は多孔性板材の上面に充填されている構成としてもよい。
この構成によれば、吸引口からの気体の吸引や、放出口からの気体の放出を効率よく行うことができるため、気体の吸引や放出に要する送風機の動力を最低限に抑えることができる。
【００１３】
さらに、本考案に係る脱臭装置において、前記微生物として、糸状菌を用いた構成としてもよい。
この構成によれば、微生物を固定する担体として用いる木材粉砕片や、木炭粉や、木炭粉に長期間安定して微生物を増殖させることができるため、より長期間安定した脱臭性能を維持することができる。
【考案の効果】
【００１４】
本考案に係る脱臭装置によれば、脱臭性能を長期間安定して維持することができ、且つ、装置の小型化及び簡易化を実現でき、さらには、装置の初期投資費用及び維持管理費を低減することができる。
【考案を実施するための最良の形態】
【００１５】
以下、本考案に係る実施形態について図面を参照しながら説明する。
図１は、本考案に係る脱臭装置の一例を示し、（ａ）は斜視図、（ｂ）は図１（ａ）のＡ−Ａ断面図である。本考案においては、室内のペット臭を除去するために、室外に脱臭装置を設置した場合について説明する。
【００１６】
この脱臭装置１０は、図1に示すように、上部に蓋部１１を有する中空状の矩形体をなし、内部に脱臭材２が充填された脱臭槽１と、この脱臭槽１の一側面下方に設けられた吸引口３と、この脱臭槽１の蓋部１１に設けられた放出口４と、から構成されている。
脱臭槽１の内部において、吸引口３の上方には、脱臭槽１の底面に対して平行に金網（網状部材）５が配設されている。
【００１７】
また、脱臭槽１に設けられた吸引口３と放出口４には、それぞれ配管６Ａ，６Ｂの一端が接続されており、吸引口３に接続された配管６Ａの他端は天井に設けられた天井型ファン（送風機）及び開口部を介して、室内に接続され、放出口４に接続された配管６Ｂの他端は側壁に設けられた開口部を介して、室内に接続されている。ここで、天井型ファンの回転数を制御することで、室内から脱臭槽１への気体の吸引量を調整できるようになっている。
【００１８】
脱臭材２は、金網５の上に、糸状菌（微生物）が寄生することにより腐朽状態となった木材粉砕片２１と、木炭片２２と、木炭粉２３と、がこの順で積層された三層構造となっている。ここで、木材粉砕片２１としては、産業廃棄物として排出される間伐材、剪定枝、廃木、廃ホダ木等を公知の粉砕装置により所定寸法に粉砕したものを用いている。
また、この脱臭装置１０には、脱臭材２として用いる木材粉砕片２等に存在する糸状菌の活性を維持するために、槽内の湿度、温度、及び酸素量を適正範囲に調整する制御装置が備えられている。
【００１９】
次に、上述した脱臭装置１０を用いた脱臭作用について説明する。
まず、室内の天井に設けられた天井型ファンを回転させることにより、アンモニア、メチルメルカプタン、硫化メチル、二硫化メチル等のペット臭（臭気成分）を含む気体を室内から吸引し、配管６Ａ及び吸引口３を介して、脱臭槽１内に導入する。
【００２０】
ここで、脱臭槽１内に導入されたペット臭を含む気体は、脱臭材２を通過する際に、脱臭材２を構成する木材粉砕片２等に存在する糸状菌によりペット臭が酸化分解される。
そして、糸状菌によりペット臭が酸化分解され、無臭化された気体が放出口４から放出される。ここで、放出された気体は、配管６Ｂ及び側壁に設けられた開口部を介して、再度室内に戻される。
【００２１】
本実施形態の脱臭装置１０によれば、気体に含まれる臭気成分を除去するための脱臭材２として、糸状菌が寄生することにより腐朽状態となった木材粉砕片２１と、木炭片２２と、木炭粉２３との積層体を用いているため、脱臭材２が固まり難く、長期間良好な通気性を維持することができる。よって、糸状菌による臭気成分の酸化分解処理能力が低下することなく、長期間安定した脱臭性能を維持することができる。
【００２２】
また、本実施形態の脱臭装置１０によれば、上述した特許文献１及び特許文献２に記載の脱臭装置のように、分解装置や散水装置を備えずに、糸状菌による酸化分解処理により脱臭できるため、装置の小型化及び簡易化を実現できるとともに、装置の初期投資費用及び維持管理費を低減できる。
【００２３】
さらに、本実施形態の脱臭装置１０によれば、室内から吸引したペット臭を含む気体を、脱臭材２で無臭化した後に、再度室内に戻すようにしたため、室内の冷暖房効率を大幅に損なうことなく、室内のペット臭を除去することができる。
【００２４】
さらに、本実施形態の脱臭装置１０によれば、脱臭槽１の内部において、吸引口３よりも上方に配設された金網５の上面に脱臭材２を充填したことにより、吸引口３から吸引される気体が脱臭槽１の内部に導入されやすくなり、吸引口からの気体の吸引や、放出口からの気体の放出を効率よく行うことができるため、気体の吸引や放出に要する天井型ファンの回転数を最低限に抑えることができる。
【００２５】
なお、本実施形態においては、脱臭材２として、腐朽状態となった木材粉砕片２１と、木炭片２２と、木炭粉２３とを積層した構成としたが、これに限らず、これらを混合した構成としてもよい。また、脱臭材２として、上述した木材粉砕片２１のみで構成してもよいし、上述した木材粉砕片２１と、木炭片２２又は木炭粉２３の一方とを積層又は混合させた構成としてもよい。但し、脱臭材２を固まり難くし、長期間良好な通気性を維持するためには、上述した実施形態で示したように、脱臭材２として、腐朽状態となった木材粉砕片２１と、木炭片２２と、木炭粉２３とを積層した構成とすることが好ましい。
【００２６】
また、本実施形態においては、脱臭装置１０を室外に設置した場合について説明したが、これに限らず、脱臭装置１０を室内に設置して用いてもよい。この場合、吸引口３や放出口４に配管６Ａ，６Ｂを接続せずに構成することもできる。
【００２７】
さらに、本実施形態においては、放出口４に配管６Ｂを接続して、臭気成分を除去した気体を再度室内に戻すように構成したが、これに限らず、放出口３から放出する気体を室外に放出するように構成してもよい。
【図面の簡単な説明】
【００２８】
【図１】本考案に係る脱臭装置の一例を示し、（ａ）は斜視図、（ｂ）は図１（ａ）のＡ−Ａ断面図である。
【符号の説明】
【００２９】
１    脱臭槽
２    脱臭材
３    吸引口
４    放出口
５    金網（網状部材）
６Ａ  配管
６Ｂ  配管
１０    脱臭装置
１１    蓋部
２１    木材粉砕片
２２    木炭片
２３    木炭粉
【図１】
0003127056.tif 000003